(57)【要約】      （修正有）【課題】低コストの構造、信頼できる作動、望ましい触覚感、安定した平衡位置などの利点を持つトグルボタンアセンブリを提供する。【解決手段】ヒューマンマシンインタフェース（ＨＭＩ）用のトグルボタンアセンブリ１０は、第１スイッチ１２および第２スイッチ１４が取り付けられた回路基板２０を含む。トグル本体３０は、トグル本体回転軸Ａ１を中心に回転可能である。第１のスイッチアクチュエータ５０Ａがトグル本体３０と第１のスイッチ１２との間にあり、第２のスイッチアクチュエータ５０Ｂがトグル本体３０と第２のスイッチ１４との間にある。トグル本体３０を中央位置から第１の位置へ作動させると、トグル本体３０はトグル本体回転軸Ａ１を中心に回転し、第１のスイッチアクチュエータ５０Ａを第１のスイッチ１２に押し付けて第１のスイッチ１２を作動させる。【選択図】図１
2019121593.tif 000002
【特許請求の範囲】
【請求項１】
ヒューマンマシンインターフェース（ＨＭＩ）用のトグルボタンアセンブリであって、
回路基板と、
前記回路基板に取り付けられた第１のスイッチと、
前記回路基板に取り付けられた第２のスイッチと、
トグル本体回転軸を中心に回転可能なトグル本体と、
前記トグル本体と前記第１のスイッチとの間の第１のスイッチアクチュエータと、
前記トグル本体と前記第２のスイッチとの間の第２のスイッチアクチュエータと、を備え、
中央位置から第１の位置への前記トグル本体の作動時に、前記トグル本体はトグル本体回転軸を中心に回転し、前記第１のスイッチアクチュエータを前記第１のスイッチに押し付けて前記第１のスイッチを作動させ、そして
中央位置から第２の位置への前記トグル本体の作動時に、前記トグル本体はトグル本体回転軸を中心に回転し、前記第２のスイッチアクチュエータを前記第２のスイッチに押し付けて前記第２のスイッチを作動させるトグルボタンアセンブリ。
【請求項２】
前記第１のスイッチおよび前記第２のスイッチは、垂直方向に互いにオフセットして前記回路基板に取り付けられている、請求項１のトグルボタンアセンブリ。
【請求項３】
前記第１のスイッチおよび前記第２のスイッチは両方ともタクトスイッチであるか、または両方ともカーボンピルを有するゴム弾性体のドームを含む、請求項１のトグルボタンアセンブリ。
【請求項４】
前記第１のスイッチおよび前記第２のスイッチは、前記トグル本体を中央位置に付勢するように外側の位置に予圧され、前記第１のスイッチは、前記トグル本体を第１の位置から中央位置に戻し、前記第２のスイッチは、前記トグル本体を第２の位置から中央位置に戻す、請求項１のトグルボタンアセンブリ。
【請求項５】
前記トグルボタンアセンブリは、単一の回路基板のみを含む、請求項１のトグルボタンアセンブリ。
【請求項６】
前記第１のスイッチアクチュエータは、第１のスイッチアクチュエータマウントと第１のスイッチアクチュエータアームとを含み、および
前記第２のスイッチアクチュエータは、第２のスイッチアクチュエータマウントと第２のスイッチアクチュエータアームとを含む、請求項１のトグルボタンアセンブリ。
【請求項７】
第１のスイッチアクチュエータ回転シャフトが前記第１のスイッチアクチュエータマウントから延び、前記第１のスイッチアクチュエータマウントは第１のスイッチアクチュエータ回転軸を中心に回転し、前記トグル本体の中央位置から第１の位置への作動が、前記トグル本体から延びる第１のタブを、前記第１のスイッチを押圧して前記第１のスイッチを作動させる前記第１のスイッチアクチュエータアームに対して押し付け、
第２のスイッチアクチュエータ回転シャフトが前記第２のスイッチアクチュエータマウントから延び、前記第２のスイッチアクチュエータマウントは第２のスイッチアクチュエータ回転軸を中心に回転し、前記トグル本体の中央位置から第２の位置への作動が、前記トグル本体から延びる第２のタブを、前記第２のスイッチを押圧して前記第２のスイッチを作動させる前記第２のスイッチアクチュエータアームに対して押し付け、そして、
トグル本体回転軸、第１のスイッチアクチュエータ回転軸、および第２のスイッチアクチュエータ回転軸は、すべて互いに平行に伸びる、請求項６のトグルボタンアセンブリ。
【請求項８】
前記トグル本体は、第１のトグル本体回転シャフトおよび第２のトグル本体回転シャフトに接続され、前記第１および第２のトグル本体回転シャフトの各々は、トグル本体回転軸に沿って伸びる、請求項７のトグルボタンアセンブリ。
【請求項９】
前記回路基板が取り付けられるベースをさらに備え、前記第１のトグル本体回転シャフト、前記第２のトグル本体回転シャフト、前記第１のスイッチアクチュエータ回転シャフト、および前記第２のスイッチアクチュエータ回転シャフトの各々は、前記ベースに取り付けられる、請求項８のトグルボタンアセンブリ。
【請求項１０】
ヒューマンマシンインターフェース（ＨＭＩ）用のトグルボタンアセンブリであって、
外側位置から内側位置まで押し下げ可能であって、外側位置に付勢された第１のスイッチと、
外側位置から内側位置まで押し下げ可能であって、外側位置に付勢された第２のスイッチと、
前記第１のスイッチおよび前記第２のスイッチが取り付けられた回路基板と、
トグル本体回転軸を中心に回転可能なトグル本体と、
前記トグル本体と前記第１のスイッチとの間の第１のスイッチアクチュエータと、および
前記トグル本体と前記第２のスイッチとの間の第２のスイッチアクチュエータと、を備え、
中立位置から第１の位置への前記トグル本体の作動が、前記第１のスイッチアクチュエータを前記第１のスイッチに押し付けて、前記第１のスイッチを外側位置から内側位置に移動させ、そして、
中立位置から第２の位置への前記トグル本体の作動が、前記第２のスイッチアクチュエータを前記第２のスイッチに押し付けて、前記第２のスイッチを外側位置から内側位置に移動させるトグルボタンアセンブリ。
【請求項１１】
前記トグル本体は、第１の位置および第２の位置から中立位置に戻るように付勢される、請求項１０のトグルボタンアセンブリ。
【請求項１２】
前記トグル本体がトグル本体回転軸を中心に回転し、前記第１のスイッチアクチュエータが第１のスイッチアクチュエータ回転軸を中心に回転し、前記第２のスイッチアクチュエータが第２のスイッチアクチュエータ回転軸を中心に回転し、そして
トグル本体回転軸、第１スイッチアクチュエータ回転軸、および第２スイッチアクチュエータ回転軸は、互いに平行に伸びる、請求項１１のトグルボタンアセンブリ。
【請求項１３】
前記トグル本体の長手方向軸は、トグル本体回転軸に対して垂直に伸びる、請求項１２のトグルボタンアセンブリ。
【請求項１４】
第１のスイッチアクチュエータ回転軸および第２のスイッチアクチュエータ回転軸は、互いに垂直方向にオフセットしている、請求項１２のトグルボタンアセンブリ。
【請求項１５】
前記第１のスイッチおよび前記第２のスイッチは、互いに垂直方向にオフセットして前記回路基板に取り付けられる、請求項１０のトグルボタンアセンブリ。
【請求項１６】
前記第１のスイッチおよび前記第２のスイッチは両方ともタクトスイッチであるか、または両方ともカーボンピルを有するゴム弾性体のドームを含む、請求項１０のトグルボタンアセンブリ。
【請求項１７】
前記トグルボタンアセンブリは、単一の回路基板のみを含む、請求項１０のトグルボタンアセンブリ。
【請求項１８】
前記トグル本体は、前記トグル本体が中立位置から第１の位置に作動されたときに、前記第１のスイッチアクチュエータを前記第１のスイッチに向けて押圧する第１のタブを含み、および
前記トグル本体は、前記トグル本体が中立位置から第２の位置に作動されたときに、前記第２のスイッチアクチュエータを前記第２のスイッチに向けて押圧する第２のタブを含む、請求項１０のトグルボタンアセンブリ。
【請求項１９】
前記トグル本体が第１の位置に作動された後の前記トグル本体の解放時に、前記第１のスイッチが、前記トグル本体を中立位置に戻すために前記第１のスイッチアクチュエータを前記トグル本体に押し付ける、外側位置に移動し、および
前記トグル本体が第２の位置に作動された後の前記トグル本体の解放時に、前記第２のスイッチが、前記トグル本体を中立位置に戻すために前記第２のスイッチアクチュエータを前記トグル本体に押し付ける、外側位置に移動する、請求項１８のトグルボタンアセンブリ。
【請求項２０】
さらにベースを備え、
前記回路基板、前記トグル本体、前記第１のスイッチアクチュエータ、および前記第２のスイッチアクチュエータは、それぞれ前記ベースに取り付けられる、請求項１０のトグルボタンアセンブリ。
【発明の詳細な説明】
【技術分野】
【０００１】
本開示は、ヒューマンマシンインタフェース（ＨＭＩ）用のトグルボタンアセンブリに関する。
【背景技術】
【０００２】
この欄は、必ずしも公知技術には当たらない、本開示に関連する背景情報を提供する。
【０００３】
ヒューマンマシンインタフェース（ＨＭＩ）には、しばしば、ＨＭＩにコマンドを入力するために、ユーザによって作動されるトグルボタンが含まれている。例えば、車両の暖房、換気、空調（ＨＶＡＣ）システムのＨＭＩに関して、ユーザは、所望の温度設定を増加させるためにトグルボタンを上方に作動させ、あるいは所望の温度設定を減少させるために下方に作動させることができる。
【発明の概要】
【発明が解決しようとする課題】
【０００４】
現在のトグルボタンは意図した用途に適しているが、改良の余地がある。例えば、以下の利点を示す新しいトグルボタンが望まれている：低コストの構造；信頼できる作動；望ましい触覚感；安定した平衡位置（これにより、車両が振動しているときに、バズ音、きしみ音、ラトル音（ＢＳＲノイズ）が防止または低減される）；および、特にトグル方向（例のみとして、図６のＨ方向など）において、現在のトグルボタンと比較して小さいパッケージ面積。本開示は、これらの利点、ならびに、当業者が理解するであろう、他の多くの利点および予想外の結果を提供するトグルボタンを含む。 
【０００５】
この欄は、開示の概要を提供するが、その全範囲またはその全特徴の包括的な開示ではない。
【０００６】
本開示は、ヒューマンマシンインタフェース（ＨＭＩ）用のトグルボタンアセンブリを提供する。トグルボタンアセンブリは、回路基板を含む。第１のスイッチと第２のスイッチが回路基板に取り付けられている。トグル本体は、トグル本体回転軸を中心に回転可能である。第１のスイッチアクチュエータは、トグル本体と第１のスイッチとの間にあり、第１のスイッチアクチュエータ回転軸を中心に回転可能である。第２のスイッチアクチュエータは、トグル本体と第２のスイッチとの間にあり、第２のスイッチアクチュエータ回転軸を中心に回転可能である。トグル本体を中央位置から第１の位置へ作動させると、トグル本体はトグル本体回転軸を中心に回転し、第１のスイッチアクチュエータを第１のスイッチに押し付けて第１のスイッチを作動させる。トグル本体を中央位置から第２の位置へ作動させると、トグル本体はトグル本体回転軸を中心に回転し、第２のスイッチアクチュエータを第２のスイッチに押し付けて第２のスイッチを作動させる。
【０００７】
さらなる適用可能分野は、本明細書の説明から明らかとなる。本概要の説明および具体例は単に例示の目的を意図しており、本開示の範囲を限定することを意図していない。
【図面の簡単な説明】
【０００８】
以下に説明される図面は、選択された実施形態を図示する目的だけのためのものであり、全ての可能な実施例を示すものではなく、また、本開示の範囲を限定することを意図するものでもない。
【図１】本開示によるトグルボタンアセンブリの斜視図である。
【図２】図１のトグルボタンアセンブリの側面図である。
【図３】図１のトグルボタンアセンブリの上面図である。
【図４】図１のトグルボタンアセンブリの別の斜視図である。
【図５】図１のトグルボタンアセンブリの別の側面図である。
【図６】図１のトグルボタンアセンブリの正面図である。
【発明を実施するための形態】
【０００９】
複数の図面にわたって、対応する参照符号は、対応する部分を示している。
【００１０】
例示的な実施形態が、添付の図面を参照してより詳細に説明される。
【００１１】
図１−６は、本教示による例示的なトグルボタンアセンブリ１０を示す。トグルボタンアセンブリ１０は、任意の適切なシステムを制御するための、任意の適切なヒューマンマシンインタフェース（ＨＭＩ）に含まれることができる。例えば、トグルボタンアセンブリ１０は、車両の暖房、換気、および空調（ＨＶＡＣ）システムのＨＭＩに含まれて、ＨＶＡＣシステムの任意の適切な機能を制御するために、ＨＭＩへの入力を行うことができる。例えば、トグルボタンアセンブリ１０は、その作動により所望の温度設定を増減するように構成することができる。
【００１２】
トグルボタンアセンブリ１０は、第１のスイッチ１２および第２のスイッチ１４を含む。第１および第２のスイッチ１２、１４は、タクトスイッチのような任意の適切なスイッチとすることができ、またはカーボンピルを有するゴム弾性体のドームを含むことができる。
第１のスイッチ１２および第２のスイッチ１４は、本明細書で詳細に説明されるように、トグルボタンアセンブリ１０がユーザによって作動されていないときには、トグルボタンアセンブリ１０を、図全体に渡って図示される中央または中立位置（静止位置）に維持するように、それぞれ、外側位置に付勢（予圧）され得る。第１のスイッチ１２および第２のスイッチ１４は、回路基板２０に取り付けられている。回路基板２０は、第１のスイッチ１２と第２のスイッチ１４がいつ作動されたかを示す入力をコントローラに送るために、ＨＭＩの任意の適切なコントローラと通信する。回路基板２０は、ＨＶＡＣ制御パネルのフロントケースなどの任意の適切なベース２２に取り付けられる。
【００１３】
トグルボタンアセンブリ１０はさらに、その先端にトグルキャップ３２を有するトグル本体３０を含む。トグル本体３０は、図全体に渡って図示されている中央または中立位置（静止位置）から、第１の位置（上向きなど）または第２の位置（下向きなど）に作動させることができる。トグル本体３０が第１の位置または第２の位置のいずれかに作動された後にユーザによって解放されると、トグル本体３０は、本明細書でさらに説明するように、図全体に渡って図示された中央位置に自動的に戻る。
【００１４】
トグル本体３０は、トグル本体３０の両側に配置された、第１のトグル本体回転部材３４および第２のトグル本体回転部材３６によってベース２２に取り付けられている。回転部材３４、３６は、ピン、シャフトなどのような、トグル本体３０を回転可能に取り付けるための任意の適切な部材とすることができる。回転部材３４、３６は、トグル本体３０とともに回転しても良いし、静止した状態でトグル本体３０の回転を支持するものであってもよい。本明細書では、回転部材３４、３６は、例示的な目的のみのため、シャフトとして説明される。第１のトグル本体回転シャフト３４は、トグル本体３０からベース２２のベースマウント４０まで延びている。第２のトグル本体回転シャフト３６は、トグル本体３０からベース２２のベースマウント４２まで延びている。トグル本体３０は、作動したとき、第１のトグル本体回転シャフト３４および第２のトグル本体回転シャフト３６の軸心に沿って伸びるトグル本体回転軸Ａ１を中心に回転する。
【００１５】
トグル本体３０と第１のスイッチ１２との間には、第１のスイッチアクチュエータ（またはロッカー）５０Ａが取り付けられている。トグル本体３０と第２のスイッチ１４との間には、第２のスイッチアクチュエータ（またはロッカー）５０Ｂが取り付けられている。第１のスイッチアクチュエータ５０Ａは、第１のスイッチアクチュエータ回転シャフト６０Ａおよびマウント６２Ａを介してベース２２に取り付けられた、第１のスイッチアクチュエータマウント５２Ａを含む。第１のスイッチアクチュエータ回転シャフト６０Ａは、第１のスイッチアクチュエータ５０Ａの片側の単一シャフトであってもよいし、第１のスイッチアクチュエータ５０Ａの両側のデュアルシャフトであってもよい。第１のスイッチアクチュエータ５０Ａは、第１のスイッチアクチュエータ回転シャフト６０Ａの軸心に沿って伸びる第１のスイッチアクチュエータ回転軸Ａ２を中心に回転するように取り付けられている。なお、第１のスイッチアクチュエータ５０Ａは、第１のスイッチアクチュエータ回転シャフト６０Ａが第１のスイッチアクチュエータマウント５２Ａとともに回転するように構成されてもよいし、第１のスイッチアクチュエータ回転シャフト６０Ａは静止した状態で、第１のスイッチアクチュエータマウント５２Ａの回転を支持するように構成されてもよい。支持部５６Ａが、第１のスイッチアクチュエータマウント５２Ａから延びている。第１のアクチュエータアーム５４Ａが、第１のスイッチアクチュエータマウント５２Ａとは反対側の支持部５６Ａの一端にある。第１のアクチュエータアーム５４Ａは、図示のように湾曲していてもよく、直線状であってもよい。
【００１６】
第２のスイッチアクチュエータ５０Ｂは、第１のスイッチアクチュエータ５０Ａと同様であるので、第１のスイッチアクチュエータ５０Ａの説明は、第２のスイッチアクチュエータ５０Ｂを説明するのに十分なものでもある。第１のスイッチアクチュエータ５０Ａの特徴と類似または同一である第２のスイッチアクチュエータ５０Ｂの特徴は、図面において、「Ａ」の代わりに添字「Ｂ」を用いている以外は、同じ参照番号を使用して示されている。第２のスイッチアクチュエータ５０Ｂは、第２のスイッチアクチュエータ回転シャフト６０Ｂおよびマウント６２Ｂを介してベース２２に取り付けられた第２のスイッチアクチュエータマウント５２Ｂを含む。第２のスイッチアクチュエータ回転シャフト６０Ｂは、第２のスイッチアクチュエータ５０Ｂの片側の単一シャフトであってもよいし、第２のスイッチアクチュエータ５０Ｂの両側のデュアルシャフトであってもよい。第２のスイッチアクチュエータ５０Ｂは、第２のスイッチアクチュエータ回転シャフト６０Ｂの軸心に沿って伸びる第２のスイッチアクチュエータ回転軸Ａ３を中心に回転するように取り付けられている。なお、第２のスイッチアクチュエータ５０Ｂは、第２のスイッチアクチュエータ回転シャフト６０Ｂが第２のスイッチアクチュエータマウント５２Ｂとともに回転するように構成されてもよいし、第２のスイッチアクチュエータ回転シャフト６０Ｂは静止した状態で、第２のスイッチアクチュエータマウント５２Ｂの回転を支持するように構成されてもよい。支持部５６Ｂが、第２のスイッチアクチュエータマウント５２Ｂから延びている。第２のアクチュエータアーム５４Ｂが、第２のスイッチアクチュエータマウント５２Ｂとは反対側の支持部５６Ｂの一端にある（例えば、図５参照）。第２のアクチュエータアーム５４Ｂは、図示のように湾曲していてもよく、直線状であってもよい。
【００１７】
第２のスイッチアクチュエータ回転軸Ａ３は、図示の例では、第１のスイッチアクチュエータ回転軸Ａ２から（図６のＨ方向に）垂直方向にオフセットされている。しかし、第１および第２のスイッチアクチュエータ回転軸Ａ２およびＡ３は、他の適用例において、同一線上に配置することができる。第１および第２のスイッチアクチュエータ回転軸Ａ２およびＡ３は、トグル本体回転軸Ａ１から（図５のＺ方向に）横方向にオフセットされている。トグル本体回転軸Ａ１、第１のスイッチアクチュエータ回転軸Ａ２、および第２のスイッチアクチュエータ回転軸Ａ３は、互いに平行に伸びている。
【００１８】
第１および第２のスイッチ１２、１４を作動させるためのトグル本体３０の例示的な動作を以下に説明する。例えば、所望のＨＶＡＣ温度設定を上げるためなど、ユーザがトグルキャップ３２を押し上げると、図１および図２について言えば、トグル本体３０はトグル本体回転軸Ａ１を中心として反時計回りの方向に回転する。トグル本体３０から延びる第１のタブ７０Ａが、第１のアクチュエータアーム５４Ａに接触し、第１のアクチュエータアーム５４Ａを第１のスイッチ１２に押し付けて、第１のスイッチ１２を内側位置へ押し下げる（または、押し込む）。第１のタブ７０Ａが第１のアクチュエータアーム５４Ａに押し付けられるにつれて、第１のスイッチアクチュエータ５０Ａは、第１のスイッチアクチュエータ回転軸Ａ２を中心として回転する。
【００１９】
ユーザがトグルキャップ３２を解放すると、トグル本体３０はもはや第１のスイッチ１２に対して慣性／作動力を及ぼさない。したがって、第１のスイッチ１２は、その非押圧／休止位置（外側位置）に向けて付勢（予圧）されているので、内側位置から非押圧／休止位置に自由に戻り、第１のスイッチ１２が第１のアクチュエータアーム５４Ａに力を加え、第１のタブ７０Ａに向けて（図１および図２に示すように）第１のアクチュエータアーム５４Ａを反時計回りの方向に動かす結果となる。第１のアクチュエータアーム５４Ａは、トグル本体３０が図全体にわたって図示されている中央または中立位置に戻るまで、（図１および図２に示すように）トグル本体３０を時計回りの方向に回転させる。特に図２を参照すると、トグル本体３０は、中央位置において、その長手方向軸線Ｘが回路基板２０に対して略垂直に、かつ第１のスイッチ１２と第２のスイッチ１４との間の回路基板２０の部分を貫いて伸びるように配置されている。
【００２０】
ユーザが、（例えば所望のＨＶＡＣ温度設定を下げるために）トグルキャップ３２を下方に押して、トグル本体３０を中央（中立）位置から第２の（下方）位置に移動させると、トグル本体３０の第２のタブ７０Ｂが、第２のアクチュエータアーム５４Ｂに向かって移動し、第２のスイッチ１４を作動させるために、第２のアクチュエータアーム５４Ｂを第２のスイッチ１４に対して押し付ける。これにより、第２のスイッチ１４は内側位置に移動する。第２のスイッチ１４の作動は、例えば、ＨＶＡＣシステムの所望の温度設定の低下を要求するユーザによって、トグル本体３０が下方に押されたことを示す信号を、回路基板２０からコントローラに送信するとの結果をもたらす。ユーザがトグルキャップ３２を解放すると、第２のタブ７０Ｂはもはや第２のアクチュエータアーム５４Ｂに作動力を及ぼさず、したがって第２のアクチュエータアーム５４Ｂはもはや第２のスイッチ１４に圧力を加えない。これにより、第２のスイッチ１４は、第２のスイッチ１４が付勢されている非押圧／休止位置に戻ることができる。第２のスイッチ１４が非押圧／休止位置に戻るとき、第２のスイッチ１４は第２のアクチュエータアーム５４Ｂを第２のタブ７０Ｂに向けて動かし、トグル本体３０を図全体にわたって図示されている中央または中立位置に戻すように回転させる。
【００２１】
トグルボタンアセンブリ１０は、多くの利点を提供する。例えば、トグルボタンアセンブリ１０は、削減されたコスト、信頼できる作動、望ましい触覚感、（車両が振動しているときに、バズ音、きしみ音、ラトル音を低減または防止する）安定した平衡位置、および、現在のトグルボタンと比較してより小さいパッケージ面積を有する、信頼できるＨＭＩ入力装置を提供する。例えば、図６を参照すると、トグルボタンアセンブリ１０は、第１のスイッチ１２の底部から第２のスイッチ１４の上部まで測定された高さＨを有し、これは現在のトグルボタンよりも小さい。これにより、トグルボタンアセンブリが、車両の中央スタックにおいてなど、車両上で占有する貴重なスペースの量を有利にも低減することができる。本開示のトグルボタンアセンブリ１０のさらなる利点は、単一の回路基板２０のみが必要であることである。これは、複数のＰＣＢを必要とすることが多い現在のトグルボタンとは対照的である。このように、単一の回路基板２０のみを含むことによって、本開示は、現在のトグルボタンと比較して低コストで提供することができるトグルボタンアセンブリ１０を提供する。
【００２２】
上述した実施形態の説明は、例示および説明の目的のために提供されている。それは、網羅的であることも、開示を限定することも意図するものではない。特定の実施形態の個々の要素や特徴は、一般に、その特定の実施形態に限定されることなく、具体的に図示または説明されなくとも、適用可能である場合、交換可能であり、選択された実施形態で使用することが可能である。同上のものはまた、多くのやり方で変更されてもよい。そのような変更は、本開示からの逸脱として見なすべきではなく、全てのそのような修正は、本開示の範囲内に含まれることが意図される。
【００２３】
例示の実施形態は、本開示が完全なものとされ、また、その範囲を当業者に十分に伝えるように提供されている。具体的構成部品、装置、および方法の例などの、多数の具体的な詳細は、本開示の実施形態の完全な理解を提供するために説明される。しかし、具体的な詳細が使用される必要はなく、例示の実施形態は多くの異なる形で具現化されてもよく、いずれも本開示の範囲を限定すると解釈されるべきではないことが、当業者には明らかであろう。いくつかの例示の実施形態において、公知のプロセス、公知の装置構造、および公知の技術は、詳細には説明されない。
【００２４】
本明細書で使用される用語は、単に特定の例示の実施形態を説明する目的のためのものであって、限定することを意図するものではない。本明細書で使用する場合、単数形「１つの（ａ）」、「１つの（ａｎ）」および「その（ｔｈｅ）」は、文脈上明らかに単数形であることが示されない限り、複数形も同様に含むことが意図される。用語「備える（ｃｏｍｐｒｉｓｅｓ）」、「備えて（ｃｏｍｐｒｉｓｉｎｇ）」、「含む（ｉｎｃｌｕｄｉｎｇ）」および「有する（ｈａｖｉｎｇ）」は、包括的であり、それ故、記載される特徴、整数、工程、動作、要素、および／または構成要素の存在を指定するが、１つ以上の他の特徴、整数、工程、動作、要素、構成要素、および／またはそれらの群の存在あるいは追加を排除しない。本明細書に記載される方法工程、プロセス、および動作は、実行の順序として具体的に特定されない限り、図示または説明される特定の順序でのそれらの実行を必然的に要求するものとして解釈するべきではない。追加的または代替的な工程が採用されてもよいことも理解されるべきである。
【００２５】
ある要素または層が、別の要素または層「の上に（ｏｎ）」あるか、別の要素または層「に係合（ｅｎｇａｇｅｄ  ｔｏ）」するか、別の要素または層「に接続（ｃｏｎｎｅｃｔｅｄ  ｔｏ）」するか、もしくは別の要素または層「に結合（ｃｏｕｐｌｅｄ  ｔｏ）」するとして言及される場合、それは、他の要素または層の直接上にあるか、係合するか、接続するか、もしくは結合する場合があり、あるいは介在する要素または層が存在する場合がある。対照的に、要素が、別の要素または層「の直接上に（ｄｉｒｅｃｔｌｙ  ｏｎ）」あるか、「に直接係合（ｄｉｒｅｃｔｌｙ  ｅｎｇａｇｅｄ  ｔｏ）」するか、「に直接接続（ｄｉｒｅｃｔｌｙ  ｃｏｎｎｅｃｔｅｄ  ｔｏ）」するか、もしくは「に直接結合（ｄｉｒｅｃｔｌｙ  ｃｏｕｐｌｅｄ  ｔｏ）」するとして言及される場合、介在する要素または層は存在しない場合がある。要素間の関係を説明するために使用される他の語は、同様の方式で解釈されるべきである（例えば、「〜間で（ｂｅｔｗｅｅｎ）」に対する「直接〜間で（ｄｉｒｅｃｔｌｙ  ｂｅｔｗｅｅｎ）」、「隣接して（ａｄｊａｃｅｎｔ）」に対する「直接隣接して（ｄｉｒｅｃｔｌｙ  ａｄｊａｃｅｎｔ）」など）。本明細書で使用されるように、用語「および／または」は、関連して列挙される項目の１つ以上の、任意および全ての組み合わせを含む。
【００２６】
第１、第２、第３などの用語が、様々な要素、構成部品、領域、層、および／または区域を説明するために本明細書で使用される場合があるが、これらの要素、構成部品、領域、層、および／または区域は、それらの用語によって限定されるべきではない。これらの用語は、１つの要素、構成部品、領域、層、または区域を、別の要素、構成部品、領域、層、または区域から識別するためにのみ使用される場合がある。「第１」、「第２」などの用語、および他の数値的用語は、本明細書で使用する場合、文脈上明らかな指定がない限り、順序、または順番を示唆するものではない。従って、説明される第１の要素、構成部品、領域、層、または区域は、例示の実施形態の教示から逸脱することなく、第２の要素、構成部品、領域、層、または区域と呼ばれる可能性がある。
【００２７】
「内側（ｉｎｎｅｒ）」、「外側（ｏｕｔｅｒ）」、「下（ｂｅｎｅａｔｈ）」、「下方（ｂｅｌｏｗ）」、「底部（ｌｏｗｅｒ）」、「上方（ａｂｏｖｅ）」、「上部（ｕｐｐｅｒ）」などのような、空間的に相対的な用語が、図に示されるような、１つの要素または特徴部の、別の要素または特徴部に対する関係性を説明するための説明の容易性のために使用される場合がある。空間的に相対的な用語は、図に示される方向に加えて、使用時または動作時の装置の、異なる方向を包含することを意図する場合がある。例えば、図中の装置が反転された場合には、他の要素または特徴部の「下方」もしくは「下」として説明される要素は、他の要素または特徴部の「上方」に指向されることになる。それゆえ、例示の用語「下方」は、上方および下方の双方の方向を包含する可能性がある。装置は、他の方式で指向（９０度または他の方向に回転）されてもよく、本明細書で使用される空間的に相対的な記述語は、適宜に解釈される。
【符号の説明】
【００２８】
１０：トグルボタンアセンブリ、１２：第１のスイッチ、１４：第２のスイッチ、２０：回路基板、２２：ベース、３０：トグル本体、３２：トグルキャップ、３４：第１のトグル本体回転シャフト、３６：第２のトグル本体回転シャフト、４０：ベースマウント、４２：ベースマウント、５０Ａ：第１のスイッチアクチュエータ、５０Ｂ：第２のスイッチアクチュエータ、５２Ａ：第１のスイッチアクチュエータマウント、５２Ｂ：第２のスイッチアクチュエータマウント、５４Ａ：第１のアクチュエータアーム、５４Ｂ：第２のアクチュエータアーム、５６Ａ：支持部、５６Ｂ：支持部、６０Ａ：第１のスイッチアクチュエータ回転シャフト、６０Ｂ：第２のスイッチアクチュエータ回転シャフト、６２Ａ：マウント、６２Ｂ：マウント、７０Ａ：第１のタブ、７０Ｂ：第２のタブ
【図１】
2019121593.tif 000003
【図２】
2019121593.tif 000004
【図３】
2019121593.tif 000005
【図４】
2019121593.tif 000006
【図５】
2019121593.tif 000007
【図６】
2019121593.tif 000008